(57)【特許請求の範囲】
【請求項１】
固定部の下端前面に支持片が突設され、支持片の先端に前記固定部と平行な係止片が折り返し状に連設された鏡の支持具において、
支持片の上面と、固定部の前面に連続して一対のリブが、係止される鏡と直交する方向に設けられ、両リブ間の支持片上には、裏面に貫通する水抜用孔が設けられたことを特徴とする鏡の支持具。
【発明の詳細な説明】
【０００１】
【発明の属する技術分野】
本発明は、洗面化粧台や浴室などに設けられる鏡の支持具に関する。
【０００２】
【従来の技術】
一般にこの種の支持具１０は、図５に示すように固定片１１の一端に支持片１２と係止片１３を略Ｌ字形に連設してなり、支持片１２と係止片１３の内側には、滑り止めと衝撃緩和のためにゴムや発泡材などからなるパッキン１６，１７を取り付けていた。
【０００３】
そして、この支持具１０を固定片１１に設けられたねじ孔１１ａを貫通したねじ１４で洗面化粧台の背面パネルＰや浴室の壁面パネルなどの所定位置に取り付け、鏡Ｍの上下端縁の左右両側をそれぞれに対応する箇所に取り付けられた同様の四個の支持具１０で係止し、鏡ＭをパネルＰの表面に取り付けるようにしていた。
【０００４】
しかし、この支持具１０では鏡Ｍとパッキン１６，１７との間に入り込んだ水の逃げ場がなく、鏡Ｍが長時間水と接触した状態に置かれるため、裏面の銀鏡膜を浸食し、シケといわれる黒い変色が生じるという問題点があった。
【０００５】
また、上記の問題点を改善したものとして実開平５−３７１７３号公報に示されるものがある。これは、図６に示すように固定片２１の一端に支持片２２と係止片２３を略Ｌ字形に連設した上記と同様の支持具２０において、支持片２２上に、係止片２３と平行に複数の突状片２４を設け、鏡Ｍとの間に水を逃がすための隙間２４ａを形成したものである。
【０００６】
なお、図５において符号１５は、鏡Ｍの裏面をパネルＰの表面に固定するための補助用の両面テープを示す。また、図６において符号２１ａは、ねじ１４が位置調節可能に挿通するねじ止め用の長孔を示す。
【０００７】
【発明が解決しようとする課題】
上述した従来の鏡の支持具では、まず図５に示したものは、上述したように鏡とパッキンとの間に入り込んだ水の逃げ場がなく、鏡が長時間水と接触した状態に置かれるため、鏡裏側の銀鏡膜が浸食され、鏡にシケと称される黒い変色が生じるという問題点があった。
【０００８】
また図６に示したものは、鏡の下端と支持片との間に水を逃がすための隙間を形成しているが、この隙間は両側が開放されているので、ここから塵や埃が侵入する虞れがあり、かつ侵入した場合は、その隙間が狭小なため、清掃が困難で、不潔になりがちであるという問題点があった。またこの隙間に堆積した塵や埃をそのままにしておくと、排水が妨げられ、上記のものと全く同様の問題を生じるので、これを防止するためには、頻繁に清掃をしなくてはならず、機能維持に手間を要するという問題点を有していた。
【０００９】
本発明は、上記従来の鏡の支持具が有していた問題点の解決を課題とする。
【００１０】
【課題を解決するための手段】
上記の問題点を解決するために本発明は、固定部の下端前面に支持片を突設し、支持片の先端に前記固定部と平行な係止片を折り返し状に連設した鏡の支持具において、支持片の上面と、固定部の前面に連続して一対のリブを、係止される鏡と直交する方向に設け、両リブ間の支持片上には、裏面に貫通する水抜用孔を設けた。
【００１１】
【発明の実施の形態】
以下、図示する実施の形態に基づき本発明を詳細に説明する。
【００１２】
図１は、本発明に係る鏡の支持具１の簡略斜視図、図２は鏡Ｍを取り付けた状態の要部斜視図、図３は鏡Ｍを取り付けた状態の側面図である。図示したように本発明の鏡の支持具１は、パネルＰなどの所定位置に固定される固定部２の下端前方に支持片３を突設し、支持片３の先端に前記固定部２と平行な係止片４を折り返し状に連設したものであり、固定部２の上部後方に突設した鉤形の抜け止め７を、洗面化粧台の背面パネルＰや浴室の壁面パネルなどに形成された透孔Ｐａ，Ｐｂに差し込むことにより、このパネルＰの前面に支持片３と係止片４がＬ字形に突出するように取り付けられるようになっている。
【００１３】
パネルＰには、同様の透孔Ｐａ，Ｐｂが四箇所設けられており、それぞれの透孔Ｐａ，Ｐｂに取り付けられた支持具１で鏡Ｍの上部端縁と下部端縁の左右両側を係止することにより、鏡ＭをパネルＰの前面に保持するものである。そして、この鏡Ｍの取り付けは、まずパネルＰの下側の透孔Ｐａに、係止片４が上向きとなるように支持具１を取り付け、この支持具１に鏡Ｍの下端を差し込む。次いで、支持具１をその上下を逆にして後方の抜け止め７をパネルＰの上側の透孔Ｐｂに斜めに差し込み、下向きの係止片４の内側に鏡Ｍの上端を位置させ、この状態で支持具１の前側を斜め下方に押し付けることにより、支持具１が図３に示す正規の位置に嵌まり込むことによりなされる。
【００１４】
ここにおいて、本発明では、図１に示すように支持片３の上面から固定部２の前面にわたって、左右に一対のリブ５，５を設けると共に、このリブ５，５間の支持片３に水抜用孔６を設けている。つまり、上記リブ５は係止片４に垂直、即ち、係止される鏡Ｍと直交する方向に設けられている。従って、この支持具１で支持された鏡Ｍの下端は、図３並びに図４に示すようにリブ５に接し、支持片３との間に間隙Ｃが形成される。また鏡Ｍの裏面も同様に固定部２の前面のリブ５と接し、間隙Ｃが形成される。
【００１５】
なお、上記リブ５は、支持具１をステンレスやアルミニウムなどの金属板を屈曲して形成した場合は、後から硬質ゴムなどを貼着して形成すれば良いが、合成樹脂製の支持具１に一体成形することとすれば、設ける手間が省かれると共に、支持具１自体の強度も向上することとなり、望ましい。
【００１６】
上述したように本発明の鏡の支持具１では、鏡Ｍは左右のリブ５，５で保持され、支持具１の表面と直接、接しないので、両者間に水が溜まることがない。また結露などにより水滴が、支持具１と鏡Ｍの間に流れ込んでもこの水滴は、左右のリブ５，５で形成された間隙を通って支持片３の水抜用孔６から落下し、速やかに外部に排出される。またこの水抜用孔６から鏡Ｍと支持具１との間隙Ｃ内に空気が流通し、その乾燥が促進されるものである。
【００１７】
このように本発明の支持具１では、鏡Ｍとの間に水が溜まらず、かつ空気の流通により乾燥した状態に維持されるので、銀鏡膜の浸食によるシケの発生が効果的に防止されるものである。
【００１８】
なお、上述した実施の形態では、固定部２に鉤形の抜け止め７を設け、この抜け止め７を透孔Ｐａ，Ｐｂに差し込んで支持具１をパネルＰなどの所定位置に取り付けるようにしたものを示したが、固定部２は支持具１を所定位置に固定できれば良く、例えば、従来例として示したもののように板状の片にビス孔を設けただけであっても良く、その形状は任意である。
【００１９】
【発明の効果】
以上、説明したように本発明の鏡の支持具では、支持片の上面と固定部の前面に連続して一対のリブを設け、鏡が支持具と面で接触しないようにし、またリブ間の支持片には水抜用孔を設けたので、鏡と支持具の間に侵入した水滴が速やかに排水され、鏡が長時間水に曝されることに起因するシケの発生が防止される。
【００２０】
また鏡を支持した支持片の左右両側は、リブで塞がれているので、従来のもののようにここに塵や埃が堆積して排水を妨げる虞れがない。よって、清潔であると共に、機能維持のためのメインテナンスも不要である。
【００２１】
さらにリブは、先端の係止片と直角な方向に設けられているので、支持具自体の強度が向上することとなり、耐加重性、耐久性の向上にも優れた効果を奏する。
【図面の簡単な説明】
【図１】本発明に係る鏡の支持具の実施形態を示す簡略斜視図である。
【図２】図１に示した支持具を用いた鏡の取付状態を示す斜視図である。
【図３】図１に示した支持具を用いた鏡の取付状態を示す側面図である。
【図４】図１に示した支持具を用いた鏡の取付状態を示す一部切欠正面図である。
【図５】従来の支持具を用いた鏡の取付状態を示す断面図である。
【図６】従来の他の支持具を用いた鏡の取付状態を示す斜視図である。
【符号の説明】
１  支持具
２  固定部
３  支持部
４  係止部
５  リブ
６  水抜用孔
【図１】
0003841881.tif 000002
【図２】
0003841881.tif 000003
【図３】
0003841881.tif 000004
【図４】
0003841881.tif 000005
【図５】
0003841881.tif 000006
【図６】
0003841881.tif 000007